(57)【特許請求の範囲】
【請求項１】
各種情報を表示する表示手段と、
前記表示手段に表示された複数の情報設定項目の中から任意の情報設定項目を選択し、選択した情報設定項目に属する複数の情報の中から任意の情報を設定する第１の操作部材と、
前記複数の情報設定項目の内の特定の情報設定項目を選択するために専用に設けられた第２の操作部材と、
前記第２の操作部材により選択された前記特定の情報設定項目に属する複数の情報の中から任意の情報を設定する第３の操作部材とを備えたデジタルカメラにおいて、
前記第２の操作部材により前記特定の情報設定項目が選択されているときは、前記第１の操作部材による前記特定の情報設定項目の選択を禁止し、前記第２の操作部材により前記特定の情報設定項目が選択されていないときは、前記第１の操作部材による前記特定の情報設定項目の選択を可能にする制御手段を備えることを特徴とするデジタルカメラ。
【請求項２】
請求項１に記載のデジタルカメラにおいて、
前記制御手段は、前記第２の操作部材により前記特定の情報設定項目が選択されているときは、前記特定の情報設定項目を他の情報設定項目の表示形態と異なる表示形態で前記表示手段に表示することを特徴とするデジタルカメラ。
【請求項３】
請求項１または請求項２に記載のデジタルカメラにおいて、
前記第２の操作部材により選択される前記特定の情報設定項目は、前記複数の情報設定項目の内の選択頻度の高い情報設定項目であることを特徴とするデジタルカメラ。
【請求項４】
請求項１〜３のいずれかの項に記載のデジタルカメラにおいて、
前記複数の情報設定項目は階層化されていることを特徴とするデジタルカメラ。
【請求項５】
請求項１〜４のいずれかの項に記載のデジタルカメラにおいて、
前記第１の操作部材は前記表示手段の画面上でカーソルを移動する方向キー操作部材であり、前記第２の操作部材はダイヤル操作部材であることを特徴とするデジタルカメラ。
【発明の詳細な説明】
【０００１】
【発明の属する技術分野】
本発明はデジタルカメラに関し、いろいろな情報設定項目の中から任意の項目を選択する方法を改善したものである。
【０００２】
【従来の技術】
画質、ＩＳＯ感度、ホワイトバランスなどの撮影に関する種々の情報項目の中から、情報を設定すべき項目（以下、この明細書では情報設定項目という）をモニター画面に複数個表示し、方向キーによりカーソルを移動して任意の情報設定項目を選択した後、選択した情報設定項目に属する複数の情報の中から方向キーにより任意の情報を選択、設定する情報設定方法が知られている。
【０００３】
画面に表示された複数のメニューの中から方向キーによりカーソルを移動していずれかを選択する、”汎用の項目選択操作部材を用いた情報設定方法”では、モニターに表示されるメニューが階層化されていることがあり、例えば、情報設定項目の大分類メニューから小分類メニューを選択し、さらに小分類メニューから希望する情報を選択するようになっている。
【０００４】
一方、撮影に関する複数の情報設定項目の内の特定の情報設定項目を選択するための専用の操作部材としてモードダイヤルを設け、このモードダイヤルにより選択された特定の情報設定項目に属する複数の情報の中から、コマンドダイヤルにより任意の情報を選択、設定する情報設定方法が知られている。
【０００５】
後者の”専用の項目選択操作部材を用いた情報設定方法”によれば、前者の階層化メニューから情報設定項目を選択するのに比べ、専用操作部材の１回の操作で希望する情報設定項目を選択することができ、操作性がよい。
【０００６】
【発明が解決しようとする課題】
しかしながら、上述した汎用の操作部材と専用の操作部材のような異なる複数の項目選択操作部材により一つの情報設定項目を選択可能なデジタルカメラでは、専用操作部材による情報設定中に誤って汎用操作部材を操作すると、設定を希望していない情報が設定されてしまうおそれがある。
【０００７】
本発明の目的は、情報設定の誤操作を防止することにある。
【０００８】
【課題を解決するための手段】
（１）  請求項１の発明は、各種情報を表示する表示手段と、前記表示手段に表示された複数の情報設定項目の中から任意の情報設定項目を選択し、選択した情報設定項目に属する複数の情報の中から任意の情報を設定する第１の操作部材と、前記複数の情報設定項目の内の特定の情報設定項目を選択するために専用に設けられた第２の操作部材と、前記第２の操作部材により選択された前記特定の情報設定項目に属する複数の情報の中から任意の情報を設定する第３の操作部材とを備えたデジタルカメラに適用される。
そして、前記第２の操作部材により前記特定の情報設定項目が選択されているときは、前記第１の操作部材による前記特定の情報設定項目の選択を禁止し、前記第２の操作部材により前記特定の情報設定項目が選択されていないときは、前記第１の操作部材による前記特定の情報設定項目の選択を可能にする制御手段を備えることにより、上記目的を達成する。
（２）  請求項２に記載のデジタルカメラは、前記制御手段によって、前記第２の操作部材により前記特定の情報設定項目が選択されているときは、前記特定の情報設定項目を他の情報設定項目の表示形態と異なる表示形態で前記表示手段に表示するようにしたものである。
（３）  請求項３のデジタルカメラは、前記第２の操作部材により選択される前記特定の情報設定項目は、前記複数の情報設定項目の内の選択頻度の高い情報設定項目である。
（４）  請求項４のデジタルカメラは、前記複数の情報設定項目が階層化されている。
（５）  請求項５のデジタルカメラは、前記第１の操作部材が前記表示手段の画面上でカーソルを移動する方向キー操作部材であり、前記第２の操作部材がダイヤル操作部材である。
【０００９】
【発明の実施の形態】
図１は、一実施の形態のデジタルカメラの正面斜視図(ａ)と背面斜視図(ｂ)である。一実施の形態のデジタルカメラは、カメラボディ１に撮影レンズ鏡筒２が装着されている。なお、この一実施の形態ではカメラボディに撮影レンズ鏡筒を装着する一眼レフ・デジタルカメラを例に上げて説明するが、撮影レンズをカメラボディに内蔵した、いわゆるコンパクト・デジタルカメラに対しても本願発明を適用することができる。
【００１０】
カメラボディ１の上面にはシャッターレリーズボタン３、液晶表示器４、モードダイヤル５、サブコマンドダイヤル６などが設けられている。また、カメラボディ１の背面にはメインコマンドダイヤル７、マルチセレクター８、液晶モニター９、メニューボタン１０などが設けられている。
【００１１】
カメラボディ上面の液晶表示器４は、図２に示すようにバッテリー残量、シャッター速度（１／１２５）またはＩＳＯ（撮像感度）、絞り（Ｆ５．６）、撮影モード（Ｍ）、ＱＵＡＬ（画質、ＦＩＮＥ）、ホワイトバランス（ＷＢ）、ＡＦエリア、撮影枚数（３５）、露出補正値などの表示セグメントを備えている。
【００１２】
モードダイヤル５は、図３に示すように、プログラム撮影モードＰ、シャッター速度優先撮影モードＳ、絞り優先撮影モードＡ、マニュアル撮影モードＭの他に、撮影中に操作する頻度が高いＩＳＯ（撮像感度）設定モード、ＷＢ（ホワイトバランス）設定モード、ＱＵＡＬ（画質）設定モードを選択するためのダイヤル式の操作部材である。サブコマンドダイヤル６およびメインコマンドダイヤル７は、シャッター速度や露出値などの撮影に関する情報を設定するダイヤル式の操作部材である。
【００１３】
マルチセレクター８は図４に示すような上下左右の押しボタン式方向キーから構成され、図５および図６に示すような液晶モニター９のメニュー画面上においてカーソルを上下左右に移動させる。図５に示す例では「撮影メニューの切り替え  Ａ」のメニューを枠で囲ったカーソルがあり、マルチセレクター８の下方向キーを操作するたびにカーソルが下方のメニューへ順次移動する。そして、カーソルが最下段の「ＩＳＯ設定  ２００」まで移動すると、図６に示すような「ＩＳＯ設定  ２００」のメニューが最上段へ移動するとともに、２段目以下に輪郭強調、階調補正、カラー設定、色合い補正の次のメニューが表示される。マルチセレクター８の左右方向キーは、上下方向キーで選択したメニューを設定するための操作部材である。
【００１４】
なお、この一実施の形態ではメニューを枠で囲った形状のカーソルを例に上げて説明するが、カーソルの形状はこの一実施の形態に限定されず、例えば選択したメニューを他のメニューと異なる表示形態とするカーソルでもよい。
【００１５】
メニューボタン１０は、液晶モニター９に種々の情報設定項目や情報のメニュー画面を表示させるためのスイッチである。
【００１６】
この実施の形態では、上述した”汎用の項目選択操作部材を用いた情報設定方法”と、”専用の項目選択操作部材を用いた情報設定方法”の２種類の情報設定方法により撮影に関する種々の情報を設定する。
【００１７】
前者の汎用の項目選択操作部材を用いた情報設定方法では、撮影に関する種々の情報項目の中から情報を設定すべき項目（情報設定項目）を液晶モニター９の表示画面に複数個表示し、マルチセレクター８の方向キーによりカーソルを移動して任意の情報設定項目を選択した後、選択した情報設定項目に属する複数の情報の中からマルチセレクター８の方向キーにより任意の情報を選択、設定する。
【００１８】
例えば、図５に示すように、液晶モニター９の表示画面に「撮影メニューの切り替え」、「ＱＵＡＬ（画質）」、「記録サイズ」、「ＷＢ設定」、「ＩＳＯ設定」の情報設定項目メニューが表示されているときに、マルチセレクター８の下方向キーを操作してカーソルを「ＱＵＡＬ（画質）」メニューまで移動し、マルチセレクター８の左または右方向キーを操作すると、ＱＵＡＬ設定モードが設定される。そして、液晶モニター９の表示画面には図７に示すようなＱＵＡＬ設定モードに属する「ＲＡＷ」、「ＨＩ」、「ＦＩＮＥ」、「ＮＯＲＭＡＬ」、「ＢＡＳＩＣ」の複数の画質に関する情報メニューが表示される。この画質情報メニューの表示画面において、マルチセレクター８の上下方向キーを操作して任意の情報（図７の例では「ＲＡＷ（非圧縮）」）にカーソルを合わせ、左右方向キーを操作するとその情報（「ＲＡＷ」）が設定される。
【００１９】
同様に、マルチセレクター８の上下方向キーを操作して図５に示す情報設定項目メニューの中からＷＢ設定モードを選択すると、モニター画面には図８に示すようなＷＢ設定モードに属する「オート」、「電球」、「蛍光灯」、「晴天」の複数の光源に関する情報メニューが表示される。この光源情報メニュー画面において、マルチセレクター８の上下方向キーを操作して任意の光源情報（図８の例では「オート」）を選択、設定することができる。また、マルチセレクター８の上下方向キーを操作して図５に示す情報設定項目メニューの中からＩＳＯ設定モードを選択すると、モニター画面には図９に示すようなＩＳＯ設定モードに属する「２００」、「２５０」、「３２０」、「４００」の複数の撮像感度に関する情報メニューが表示される。この撮像感度の情報メニュー画面において、マルチセレクター８の上下方向キーを操作して任意の撮像感度情報（図９の例では「２００」）を選択、設定することができる。
【００２０】
このような汎用の項目選択操作部材を用いた情報設定方法では、モニターに表示されるメニューが階層化されていることがあり、例えば、情報設定項目の大分類メニュー画面から小分類メニューを選択し、さらに小分類メニューから希望する情報を選択するようになっている。したがって、この汎用操作部材による情報設定方法によれば、多くの種類の情報設定項目と各項目に属する多くの情報を記憶しておき、きめ細かく情報を設定することができる。
【００２１】
一方、後者の専用の項目選択操作部材を用いた情報設定方法では、撮影に関する複数の情報設定項目の内の特定の情報設定項目、この一実施の形態ではＩＳＯ（撮像感度）設定モード、ＷＢ（ホワイトバランス）設定モード、ＱＵＡＬ（画質、すなわち記録画素数および圧縮率）設定モードを選択するための専用の操作部材としてモードダイヤル５を設け、このモードダイヤル５により選択した特定の情報設定項目ＩＳＯ、ＷＢおよびＱＵＡＬに属する複数の情報の中からメインコマンドダイヤル７およびサブコマンドダイヤル６により任意の情報を選択、設定する。
【００２２】
例えば、モードダイヤル５の「ＩＳＯ」マークをカメラボディ１の指標（不図示）に合わせてＩＳＯ設定モードを選択すると、直ちに撮像感度を設定するためのＩＳＯ設定モードに入る。このＩＳＯ設定モードでは、液晶表示器４は図１０に示すようにＩＳＯとバッテリー残量の表示セグメントのみが有効になり、他の表示セグメントは消灯する。この状態でメインコマンドダイヤル７を回すとクリックごとにＩＳＯ（撮像感度）が変わるので、任意のＩＳＯ値を設定することができる。
【００２３】
また、モードダイヤル５の「ＷＢ」マークをカメラボディ１の指標に合わせてＷＢ設定モードを選択すると、直ちにホワイトバランスを調整するためのＷＢ設定モードに入る。このＷＢ設定モードでは、液晶表示器４はホワイトバランスとバッテリー残量の表示セグメントのみが有効となり、他の表示セグメントは消灯する。この状態でメインコマンドダイヤル７を回すとクリックごとに晴天、曇天、日陰、電球、蛍光灯などの光源の種類が変わるので、撮影時の光源と一致する光源マークを点灯させてホワイトバランス調整を行うことができる。さらに、メインコマンドダイヤル７を回して光源を選択した後、サブコマンドダイヤル６を回してホワイトバランスの微調整を行うことができる。
【００２４】
モードダイヤル５の「ＱＵＡＬ」マークをカメラボディ１の指標に合わせてＱＵＡＬ設定モードを選択すると、直ちにＱＵＡＬ設定モードに入る。このＱＵＡＬ設定モードでは、液晶表示器４はＱＵＡＬとバッテリー残量の表示セグメントのみが有効となり、他の表示セグメントは消灯する。この状態でメインコマンドダイヤル７を回すとクリックごとにＲＡＷ、ＨＩ、ＦＩＮＥ、ＮＯＲＭＡＬ、ＢＡＳＩＣなどの画質（圧縮率）が変わるので、任意の画質を設定することができる。
【００２５】
このように、専用の項目選択操作部材であるモードダイヤル５を用いて情報設定項目を選択する方法によれば、上述した階層化メニューから情報設定項目を選択するのに比べ、専用操作部材の１回の操作で希望する情報設定項目を選択することができ、操作性がよい。
【００２６】
この一実施の形態では、ＩＳＯ（撮像感度）、ＷＢ（ホワイトバランス）およびＱＵＡＬ（画質）の設定は、汎用の項目選択操作部材を用いた方法と専用の項目選択操作部材を用いた方法の両方により可能である。つまり、液晶モニター９の表示画面に表示された情報設定項目ＩＳＯ、ＷＢおよびＱＵＡＬを汎用の項目選択操作部材であるマルチセレクター８を用いて選択することもできるし、情報設定項目ＩＳＯ、ＷＢおよびＱＵＡＬを専用の項目選択操作部材であるモードダイヤル５を用いて直接、選択することもできる。
【００２７】
このように一つの情報設定項目を異なる複数の項目選択操作部材により選択可能な場合には、上述したように専用の項目選択操作部材による情報設定操作中に誤って汎用の項目選択操作部材を操作すると、設定を希望していない情報が設定されてしまうという問題がある。このような不具合を防止するために、この一実施の形態では汎用の項目選択操作部材と専用の項目選択操作部材の両方により選択可能な情報設定項目に対しては、専用の項目選択操作部材による選択を汎用の項目選択操作部材による選択に優先させる。
【００２８】
具体的には、専用の項目選択操作部材であるモードダイヤル５によりＩＳＯ、ＷＢ、ＱＵＡＬのいずれかの設定モードが選択されているときは、汎用の項目選択操作部材であるマルチセレクター８による当該設定モードの選択を禁止する。例えば、モードダイヤル５によりＩＳＯ設定モードが選択されているときは、マルチセレクター８によるＩＳＯ設定モードの選択を禁止する。さらに、マルチセレクター８によるＩＳＯ設定モードの選択が禁止状態にあることを撮影者に告知するために、図１１に示すように、液晶モニター９の表示画面上の「ＩＳＯ設定」メニューを他の設定可能なメニューと異なる表示形態で表示する。図１１に示す表示例では、「ＩＳＯ設定  ２００」の文字色を薄く表示している。
【００２９】
なお、選択禁止状態にあるメニューの表示形態はこの一実施の形態に限定されず、例えば、選択禁止メニューを網掛け状態で表示してもよいし、異なる表示色で表示してもよい。あるいは、選択禁止メニューを反転表示してもよい。
【００３０】
このように、専用の項目選択操作部材であるモードダイヤル５によりＩＳＯ、ＷＢ、ＱＵＡＬのいずれかの設定モードが選択され、汎用の項目選択操作部材であるマルチセレクター８による当該設定モードの選択が禁止されているときに、液晶モニター９の表示画面上の当該設定モードの表示を他の設定項目と異なる表示形態で表示することによって、専用の項目選択操作部材により当該設定モードが選択され、汎用の項目選択操作部材による当該設定モードの選択が禁止状態にあることを撮影者に確実に知らせることができ、専用の項目選択操作部材による選択操作中に誤って汎用の項目選択操作部材に触れてしまい、不所望な情報の設定が変わってしまう誤操作を防止することができる。
【００３１】
図１２は一実施の形態のデジタルカメラの構成を示す。ＣＣＤ１１は撮影レンズ（不図示）により結像された被写体像を撮像する撮像素子であり、被写体像のアナログ画像信号を出力する。入力回路１２は、ＣＣＤ１１からのアナログ画像信号に対して撮像感度の変更（ゲイン調整）などの処理を行った後、Ａ／Ｄ変換し、設定された記録画素数（画像サイズ）への変更、階調補正（ガンマ補正）、エッジ強調、ホワイトバランス調整などの画像処理を行い、原画像データとして出力する。圧縮／伸長回路１３は、設定された圧縮率（画質モード）にしたがって原画像データを圧縮するとともに、圧縮画像データをもとの原画像データに伸長する。測距装置１４は被写体までの撮影距離を検出する。この測距結果に応じてレンズ駆動装置１５により撮影レンズが合焦駆動される。
【００３２】
シャッターボタンスイッチ３ａは、シャッターボタン３の操作に応じた信号を出力する。モードダイヤルスイッチ５ａは、図３に示すモードダイヤル５の設定位置（設定モード）に応じた信号を出力する。また、メインコマンドダイヤルスイッチ７ａはメインコマンドダイヤル７の右方向回転および左方向回転の１クリックごとに信号を出力し、サブコマンドダイヤルスイッチ６ａはサブコマンドダイヤル６の右方向回転および左方向回転の１クリックごとに信号を出力する。マルチセレクタースイッチ８ａは、マルチセレクター８の上下左右の押しボタン式方向キーが操作されたときに各方向キーに応じた信号を出力する。メニューボタンスイッチ１０ａは、メニューボタン１０が操作されると信号を出力する。
【００３３】
レンズ駆動装置１５は、測距装置１４の測距結果に応じて撮影レンズを合焦駆動する。バッファーメモリ１６は撮影後の原画像データおよび圧縮後の圧縮画像データを一時的に記憶するメモリであり、ＳＲＡＭ、ＶＲＡＭ、ＳＤＲＡＭなどを用いることができる。モニター画像生成回路１７は、撮影モード設定時には撮像素子１により撮像した原画像データから表示用画像データを生成して液晶モニター９に表示するとともに、再生モード設定時にはメモリカード１９から読み出した圧縮画像データを圧縮／伸長回路１３により伸長し、モニター画像生成回路１７により表示用画像データを生成して表示する。表示駆動回路１８は、図２に示すような液晶表示器４の各表示セグメントを駆動して各種情報を表示する。メモリカード１９は取り外し可能な画像記録媒体であり、フラッシュメモリなどを用いることができる。
【００３４】
コントローラー２０はＣＰＵ２０ａとメモリ２０ｂなどの周辺部品から構成され、デジタルカメラの各種演算とシーケンス制御を実行するとともに、後述する情報設定処理を行う。
【００３５】
図１３〜図１４は情報設定処理プログラムを示すフローチャートである。これらのフローチャートにより一実施の形態の動作を説明する。コントローラー２０はカメラの電源スイッチ（不図示）が投入されると所定時間ごとにこの情報設定処理プログラムを実行する。
【００３６】
ステップ１において、メニューボタン１０が操作されたか否かを確認する。メニューボタン１０が操作された場合は、モニター画面に表示された複数の情報設定項目の中からマルチセレクター８の方向キーによりカーソルを移動していずれかを選択する情報設定、すなわち汎用の項目選択操作部材であるマルチセレクター８を用いた情報設定であると判断してステップ２へ進む。
【００３７】
ステップ２では、モードダイヤル５がＩＳＯ設定モード、ＷＢ設定モードおよびＱＵＡＬ設定モードのいずれかの位置に設定されているか否か、つまり、専用の項目選択操作部材であるモードダイヤル５を用いた情報設定中か否かを確認する。汎用の項目選択操作部材による情報設定中に専用の項目選択操作部材による情報設定操作が行われた場合はステップ３へ進み、専用操作部材による情報設定を優先させるため、モードダイヤル５により選択されている設定モードをマルチセレクター８によりモニター画面から選択できないように禁止する。さらに、ステップ４でモードダイヤル５により選択されている設定モードのモニター画面上の表示色を薄くし、他の設定モードと異なる表示形態とする。
【００３８】
一方、ステップ２で専用の項目選択操作部材であるモードダイヤル５を用いた情報設定中でないと判定された場合は、汎用の項目選択操作部材であるマルチセレクター８を用いた情報設定を行うためにステップ５へ進む。ステップ５ではマルチセレクター８の上下方向キーが操作されたか否かを確認する。マルチセレクター８の上下方向キーが操作された場合はステップ６へ進み、マルチセレクター８の上下方向キー操作に応じてモニター画面上のカーソルを移動する。
【００３９】
ステップ７において、マルチセレクター８の左右方向キーが操作されたか否かを確認する。左右方向キーが操作された場合はステップ８へ進み、カーソル位置の情報設定項目を選択する。
【００４０】
ステップ５〜８の汎用の項目選択操作部材であるマルチセレクター８を用いた情報設定が終了した場合、あるいはステップ１でメニューボタン１０が操作されておらず、マルチセレクター８を用いた情報設定を行わない場合はステップ９へ進む。ステップ９では、モードダイヤル５がＩＳＯ設定モード、ＷＢ設定モードおよびＱＵＡＬ設定モードのいずれかの位置に設定されているか否か、つまり、専用の項目選択操作部材であるモードダイヤル５を用いてＩＳＯ、ＷＢおよびＱＵＡＬのいずれかの情報設定を行うか否かを確認する。
【００４１】
専用操作部材による情報設定を行う場合はステップ１０へ進み、メインコマンドダイヤル７またはサブコマンドダイヤル６が操作されたか否かを確認する。コマンドダイヤル６または７が操作された場合はステップ１１へ進み、コマンドダイヤル６，７の操作に応じて液晶表示器４の情報の表示を切り換える。つまり、モードダイヤル５により選択されたＩＳＯ、ＷＢおよびＱＵＡＬのいずれかの情報設定項目に属する複数の情報の中から順に、コマンドダイヤル６，７のクリック操作ごとに切り換える。
【００４２】
ステップ１２において、専用操作部材であるモードダイヤル５を用いた情報設定が終了し、モードダイヤル５がマニュアル撮影モードＭ、絞り優先撮影モードＡ、シャッター速度優先撮影モードＳおよびプログラム撮影モードＰのいずれかの撮影モードに戻されたか否かを確認する。モードダイヤル５がいずれかの撮影モードに設定されるとステップ１３へ進み、モードダイヤル５がＩＳＯ、ＷＢおよびＱＵＡＬのいずれかの設定モードのままであればステップ１０へ戻る。
【００４３】
モードダイヤル５により撮影モードが設定された場合は、ステップ１３で液晶表示器４の最終表示値をＩＳＯ、ＷＢおよびＱＵＡＬのいずれかの情報設定項目の設定値とする。
【００４４】
特許請求の範囲の構成要素と一実施の形態の構成要素との対応関係は次の通りである。すなわち、液晶モニター９が表示手段を、マルチセレクター８が第１の操作部材を、モードダイヤル５が第２の操作部材を、メインコマンドダイヤル７およびサブコマンドダイヤル６が第３の操作部材を、コントローラー２０が制御手段をそれぞれ構成する。なお、本発明の特徴的な機能を損なわない限り、各構成要素は上記構成に限定されるものではない。
【００４５】
なお、上述した一実施の形態では、複数の情報設定項目の内の選択頻度の高い情報設定項目、すなわちＩＳＯ設定モード、ＷＢ設定モードおよびＱＵＡＬ設定モードを特定情報設定項目とした例を示したが、特定情報設定項目は上記実施の形態のＩＳＯ、ＷＢおよびＱＵＡＬの設定モードに限定されない。
【００４６】
【発明の効果】
以上説明したように本発明によれば、第１の操作部材と第２の操作部材により特定の情報設定項目を選択可能なデジタルカメラにおいて、第２の操作部材による選択操作中に誤って第１の操作部材に触れてしまい、不所望な項目の設定が変わってしまう誤操作を防止することができる。
【図面の簡単な説明】
【図１】  一実施の形態のデジタルカメラの正面斜視図(ａ)と背面斜視図(ｂ)である。
【図２】  液晶表示器の表示面を示す図である。
【図３】  モードダイヤルの設定指標面を示す図である。
【図４】  マルチセレクターの設定指標面を示す図である。
【図５】  液晶モニターの表示画面例を示す図である。
【図６】  液晶モニターの他の表示画面例を示す図である。
【図７】  ＱＵＡＬ設定モードにおける液晶モニターの表示画面例を示す図である。
【図８】  ＷＢ設定モードにおける液晶モニターの表示画面例を示す図である。
【図９】  ＩＳＯ設定モードにおける液晶モニターの表示画面例を示す図である。
【図１０】  ＩＳＯ設定モードにおける液晶表示器の表示面を示す図である。
【図１１】  マルチセレクターによるＩＳＯ設定モードの選択が禁止されているときの液晶モニターの表示画面例を示す図である。
【図１２】  一実施の形態のデジタルカメラの構成を示す図である。
【図１３】  一実施の形態の情報設定処理を示すフローチャートである。
【図１４】  図１３に続く、一実施の形態の情報設定処理を示すフローチャートである。
【符号の説明】
１  カメラボディ
２  撮影レンズ鏡筒
３  シャッターボタン
３ａ  シャッターボタンスイッチ
４  液晶表示器
５  モードダイヤル
５ａ  モードダイヤルスイッチ
６  サブコマンドダイヤル
６ａ  サブコマンドダイヤルスイッチ
７  メインコマンドダイヤル
７ａ  メインコマンドダイヤルスイッチ
８  マルチセレクター
８ａ  マルチセレクタースイッチ
９  液晶モニター
１０  メニューボタン
１０ａ  メニューボタンスイッチ
１１  撮像素子
１２  入力回路
１３  圧縮／伸張回路
１４  測距装置
１５  レンズ駆動装置
１６  バッファーメモリ
１７  モニター画像生成回路
１８  表示駆動回路
１９  メモリカード
２０  コントローラー
２０ａ  ＣＰＵ
２０ｂ  メモリ
【図１】
0003994222.tif 000002
【図２】
0003994222.tif 000003
【図３】
0003994222.tif 000004
【図４】
0003994222.tif 000005
【図５】
0003994222.tif 000006
【図６】
0003994222.tif 000007
【図７】
0003994222.tif 000008
【図８】
0003994222.tif 000009
【図９】
0003994222.tif 000010
【図１０】
0003994222.tif 000011
【図１１】
0003994222.tif 000012
【図１２】
0003994222.tif 000013
【図１３】
0003994222.tif 000014
【図１４】
0003994222.tif 000015